(57)【要約】【課題】寝たきりの患者の腰周辺に生じる褥瘡を防ぐ装着装置、排泄物処理装置及び自動排泄処理システムを提供する。【解決手段】バックマット１６ａの表面側には、弾力性を有する材質で形成された体荷重分散突起部１６ｃが設けられている。弾力性を有する材質とは、例えばシリコンや、ウレタンが考え得る。体荷重分散突起部１６ｃは、円柱体の突起物が複数配置されており、体荷重を分散するように構成されている。突起物の上部は、ドーム状に突出して形成されている。突起部１６ｃは、バックマット１６ａのおむつカップ側中心部から周縁に向かって高さが徐々に低くなるように配置されている。【選択図】図４
2007307081.tif 000002
【特許請求の範囲】
【請求項１】
排泄物を処理する排泄物処理装置に排泄物を送るため、使用者の股間部に装着される排泄用容器を備える装着装置であって、
前記排泄用容器は、前記排泄用容器を使用者の股間に装着した際に、股間部から腰部にかけて腰を支える面状のバックマット部を備え、
前記面状のバックマット部は、複数の突起部を使用者の身体に接触する面側に有することを特徴とする装着装置。
【請求項２】
前記複数の突起部の形状は、底面が円の円柱状であり、かつ上部をドーム状に突出させた形状であることを特徴とする請求項１記載の装着装置。
【請求項３】
前記複数の突起部の高さは、前記バックマット部の中心から周縁に向かって徐々に低くなることを特徴とする請求項１又は２記載の装着装置。
【請求項４】
前記装着装置は、前記排泄容器を装着する装着具を備え、
前記装着具は、
前記バックマット部と結合する腰マット部と、身体の腰部に装着するベルトと、前記ベルトと前記排泄容器を連結する伸縮自在な連結部とを備えることを特徴とする請求項１から３のいずれか１項に記載の装着装置。
【請求項５】
前記結合は、前記腰マット部に設けられた交差する２本のバンドと、前記腰マットとの間入れた前記バックマット部を、前記バンドで押さえることにより結合することを特徴とする請求項１から４のいずれか１項に記載の装着装置。
【請求項６】
請求項１から５のいずれか１項に記載の装着装置を用いて排泄物処理を行なう排泄物処理装置。
【請求項７】
請求項１から５のいずれか１項に記載の装着装置と、排泄物を処理する排泄物処理装置と、排泄物処理装置によって処理された排泄物に関するデータを読み取るデータ読み取り装置と、データを送信するデータ送信装置と、制御装置とを備えることを特徴とする自動排泄処理システム。
【発明の詳細な説明】
【技術分野】
【０００１】
本発明は、装着装置、排泄物処理装置及び自動排泄処理システムに関し、特に寝たきりの患者の腰周辺に生じる褥瘡を防ぐ装着装置、排泄物処理装置及び自動排泄処理システムに関する。
【背景技術】
【０００２】
近年、高齢化に伴い介護を必要とする高齢者が急増している。このような急増に伴って家庭、介護施設、あるいは病院等で介護を受けている寝たきり老人等の多くはほとんど自分自身で糞尿（以下、「排泄物」と記す）の処理を行うことができない状況にある。また、乳幼児、重度身体障害者、内臓疾患患者や骨折患者を含むベッド上安静者等の使用者は、ベッドに寝ていなければならないので、自分自身で排泄物を処理することができないという状況下にある。このため、使用者は、おむつ本体と、オムツ本体の股部に取り付けられたおむつカップとで構成された排泄用装着体と、排泄用装着体を使用者に装着することができるように構成された排泄用装着具を着用している。
【０００３】
一般に、自動排泄物処理装置は、身体の腰臀部を包囲するオムツ本体と、オムツ本体の内部に洗浄水を送水するホース及び排泄物を吸引するホースと、を備え、吸引した排泄物を処理することが可能である（例えば、特許文献１、２参照）。
【０００４】
また、おむつカップとおむつ本体の接合部から排泄物が漏れないようした自動排泄処理装置が提案されている（例えば、特許文献３参照）。しかしながら、密閉されることにより生じるおむつかぶれが問題となる。そこで常時又は断続的におむつカップ内部へ新鮮な空気が流れるようにし、おむつかぶれの一因となるムレを解消する自動排泄処理装置が提案されている（例えば、特許文献４参照）。
【特許文献１】特許第３０７７０８３号公報
【特許文献２】特開２００２−３０６５２４号公報
【特許文献３】特開２００１−１９０５８３号公報
【特許文献４】特開２００５−６６０１１号公報
【発明の開示】
【発明が解決しようとする課題】
【０００５】
寝たきりの患者は、同じ姿勢で寝ているため褥瘡（じょくそう：床ずれ）が生じることが多々ある。褥瘡は、同じ姿勢で寝ている場合に身体の圧力が同じ場所に掛かり続け、皮膚への血液の流れが悪くなるため生じる症状である。通常は「寝返り」を自然に行い、眠っている間も同じ場所に圧力が掛からないようにしているが、寝たきりの患者の場合は、自然に寝返りを行うことが出来ない。このため褥瘡を予防するには、介護者が患者の皮膚の状態をこまめに観察し、身体の向きを２、３時間ごとに変えることが必要である。しかし、特に夜間において２、３時間ごとに患者の身体の向きを変えることは大変困難であり、自宅介護の場合は家族への負担が大きいという問題が生じる。上記いずれの排泄物処理装置においても、このような患者の褥瘡防止に関しては何ら考慮されていない。
【０００６】
本発明はこのような状況に鑑みてなされたものであり、褥瘡が生じることを防ぐ装着装置、排泄物処理装置及び自動排泄処理システムを提供することを目的としている。
【課題を解決するための手段】
【０００７】
請求項１記載の発明は、排泄物を処理する排泄物処理装置に排泄物を送るため、使用者の股間部に装着される排泄用容器を備える装着装置であって、前記排泄用容器は、前記排泄用容器を使用者の股間に装着した際に、股間部から腰部にかけて腰を支える面状のバックマット部を備え、前記面状のバックマット部は、複数の突起部を使用者の身体に接触する面側に有することを特徴とする装着装置である。
【０００８】
請求項２記載の発明は、請求項１記載の装着装置において、前記突起部の形状は、底面が円の円柱状であり、かつ上部をドーム状に突出させた形状であることを特徴とする。
【０００９】
請求項３記載の発明は、請求項１又は２記載の装着装置において、前記複数の突起部の高さは、前記バックマット部の中心から周縁に向かって徐々に低くなることを特徴とする。
【００１０】
請求項４記載の発明は、請求項１から３のいずれか１項に記載の装着装置において、前記装着装置は、前記排泄容器を装着する装着具を備え、前記装着具は、前記バックマット部と結合する腰マット部と、身体に装着するベルトと、前記ベルトと前記排泄容器を連結する伸縮自在な連結部とを備えることを特徴とする。
【００１１】
請求項５記載の発明は、請求項１から４のいずれか１項に記載の装着装置において、前記結合は、前記腰マット部に設けられた交差する２本のバンドと、前記腰マットとの間入れた前記バックマット部を、前記バンドで押さえることにより結合することを特徴とする。
【００１２】
請求項６記載の発明は、請求項１から５のいずれか１項に記載の装着装置を用いて排泄物処理を行う排泄物処理装置である。
【００１３】
請求項７記載の発明は、請求項１から５のいずれか１項に記載の装着装置と、排泄物を処理する排泄物処理装置と、排泄物処理装置によって処理された排泄物に関するデータを読み取るデータ読み取り装置と、データを送信するデータ送信装置と、制御装置とを備えることを特徴とする排泄物処理システムである。
【発明の効果】
【００１４】
本発明によれば、褥瘡を予防する装着装置、排泄物処理装置及び自動排泄処理システムを提供することが出来る。
【発明を実施するための最良の形態】
【００１５】
以下に、本発明の実施形態に係る装着装置、排泄物処理装置及び自動排泄処理システムを、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
図１は、本発明の実施形態に係る使用者装着装置２００と、排泄物処理装置３００を示す外観図である。両者は吸引ホース２によって接続している。
【００１７】
排泄物処理装置３００は、使用者装着装置２００内に備えられている排泄物センサ２３（図３参照）が感知した場合に吸引ホース２を介して装着装置内の排泄物を吸引すると同時に、装着装置内に温水を送って、汚れを洗い落とし、洗浄後の汚水を再び吸引し、更に装着装置に温風を送って、内部を乾燥するように構成されている。
【００１８】
図１に示す使用者装着装置２００は、排泄用容器１０及び排泄用装着具１をおむつで身体に装着する場合の外観図である。以下、使用者装着装置の構成について図３を用いて詳細に説明する。図３は、本実施形態に係る装着装置の外観斜視図である。
【００１９】
図３に示すように、本実施形態に係る使用者装着装置２００は、排泄物処理装置３００の使用者の股間部に装着する形状を有し、股間部に対して開口された排泄用容器（以下、「おむつカップ」と記す）１０を有する。おむつカップの構造について以下に詳述する。
【００２０】
おむつカップ１０は、使用者の尻部側に配置される主壁部１１と、主壁部１１からほぼ垂直に延出して股間部側に配置される副壁部１２とを有する。主壁部１１及び副壁部１２は、ほぼＬ字形状に交差するように一体化され、かつ主壁部１１及び副壁部１２の内面側の両側縁には、股形状に沿って使用者の股間部の肌面に接する開口端部である側壁部１３が一体化されている。
【００２１】
側壁部１３は、馬蹄形状に形成され、側壁部１３には、おむつカップ１０を使用者の股間部に装着したときに、股間部の肌と密着するための柔軟な排泄用装着具シール体１４が設けられている。排泄用装着具シール体１４は、シール本体３１及びリブ状構造部３２から構成されている。
【００２２】
おむつカップ１０は、副壁部１２とほぼＬ字形状に交差する主壁部１１の内端部側の中央（肛門側）に排泄物吸引口２１を有すると共に、主壁部１１の内端部側とは反対側から排泄物吸引口２１の方向に所定の角度で傾斜している傾斜面を有する傾斜部を有する。
【００２３】
おむつカップ１０には、排泄物吸引口２１に連通する接続管路２２が主壁部１１の外端面に突出して設けられている。接続管路２２は、吸引ホース２と接続し、吸引ホース２を介して排泄物処理装置３００に着脱自在に接続される。
【００２４】
また、排泄物を検知するための排泄物センサ２３が設けられている。センサ２３は、主壁部１１の内面の排泄物吸引口２１側に設置されており、尿を検知するセンサ（以下、「尿センサ」と記す）と、固形物（便、軟便等のいわゆる「糞」）を検知するセンサ（以下、「糞センサ」と記す）とで構成されている。
【００２５】
おむつカップ１０は、副壁部１２に男性陰部収納部１５の基端部を嵌合突起部に嵌合して取り付けると共に、主壁部１１に使用者の腰部（腰骨）に固定する固定部１６を接着して取り付けている。
【００２６】
男性陰部収納部１５は、おむつカップ１０の嵌合突起部に基端部が嵌合された後、シール面の端部をシール本体３１の端部に接着固定して取り付けられている。これにより、排泄用装着具１はおむつカップ１０から男性陰部収納部１５までのシール性を確保できるようになっている。
【００２７】
固定部１６は、おむつカップ１０に接着固定する固定部本体１６ａ（以下「バックマット１６ａ」と記す）と、バックマット１６ａに脱着自在に取り付けられる腰マット部１６ｂとを有する。腰マット部１６ｂには、使用者の腰部に排泄用装着体１を装着可能なベルト部１７が縫いつけられて左右に延出している。このベルト部１７の両端部には、面ファスナが添付されており、互いの端部を脱着自在に結合することによって使用者の腰部に排泄用装着体１を装着することが可能である。
【００２８】
ベルト部１７には、男性陰部収納部１５と連結する連結部１８の一端が脱着自在に取り付けられる。連結部１８は、使用者の体型に応じた長さを有し、かつ伸縮自在である。連結部１８は、使用者の体型に応じて長さが調節可能な公知のベルトであってもよい。連結部１８の他端は、男性陰部収納部１５に着脱自在に取り付けることができる。
【００２９】
通常、連結部１８は、一端が男性陰部収納部１５に取り付けられており、排泄用装着具１の装着時、他端をベルト部１７に取り付けることで、ベルト部１７と男性陰部収納部１５とを連結して男性陰部収納部１５と固定部１６とを連結する。
【００３０】
本発明の実施形態に係るバックマット１６ａについて図４乃至図８を用いて詳述する。図４は、本実施形態に係るバックマット１６ａの外観斜視図である。図５は、本実施形態に係るバックマット１６ａの表面図である。図６は、本実施形態に係るバックマット１６ａの背面図である。図７は、図５の点線（ａ）で切断した本実施形態に係るバックマット１６ａの断面図である。図８は、図５の点線（ｂ）で切断した本実施形態に係るバックマット１６ａの断面図である。
【００３１】
図４に示すように、本実施形態に係るバックマット１６ａの表面側には、弾力性を有する材質で形成された体荷重分散突起部１６ｃが設けられている。弾力性を有する材質とは、例えばシリコンや、ウレタンが考え得る。体荷重分散突起部１６ｃは、円柱体の突起物が複数配置されており、体荷重を分散するように構成されている。突起物の上部は、ドーム状に突出して形成されている。突起部１６ｃは、バックマット１６ａのおむつカップ側中心部から周縁に向かって高さが徐々に低くなるように配置されている（図７、８参照）。
【００３２】
図５に示す表面図中の点線（ａ）で切断した際の断面図を図７に示す。図に示すように、中心部から端部に向かって、突起部１６ｃの高さが徐々に低くなる。一方、図５中点線（ｂ）で切断した際の断面図を図８に示す。中心部から両端に向かって、突起部１６ｃの高さが徐々に低くなる。
【００３３】
従来は平面であったバックマットを、上記のように複数の突起物により腰部を支える、すなわち点で支える構造とすることにより、腰部の体荷重が分散され、これにより鬱血を緩和させ、褥瘡の防止となる。なお、本発明に係る突起物の形状、配置、各突起物の高さ（徐々に低くなる等）は、本実施形態に示したものに限られず、その要旨を逸脱しない範囲で種々変更可能である。
【００３４】
腰マット部１６ｂとバックマット１６ａを結合する方法としては、被結合部部材である面ファスナ（図示せず）を腰マット部１６ｂとバックマット１６ａそれぞれに貼付し、バックマット１６ａに腰マット部１６ｂを脱着自在に結合することが考え得る（図３参照）。なお、腰マット部１６ｂは、使用者の体型に応じて選択することができる。また、腰マット部１６ｂは、低反発素材であることが好ましい。例えばウレタン素材等により形成され、かつ弾力性を有する。
【００３５】
ただし、本実施形態に係るバックマット１６ｂでは、バックマット表面が突起物で構成されているため、面ファスナを貼付できない場合も考え得る。そこで、図９に示すように、２本の交差するバンド１６ｅを備えた腰マット部１６ｄに、バックマット１６ｂを差し込むことにより装着することが考え得る。具体的には、腰マット部１６ｄとバンド１６ｅの間にバックマット１６ｂを差し込むことにより（図中矢印方向）、バンド１６ｅがバックマット１６ｂを上から押さえ、固定される。バンド１６ｅは、例えばゴム状のバンドが考え得る。
【００３６】
上記実施形態により、突起部１６ｃを有するバックマット１６ｂであっても、装着することができる。
【００３７】
また、突起部１６ｃが肌に直接触れるため受ける刺激の感じ方は個人差があるが、和らげるために、上記腰マット部１６ｄ及びベルト１６ｅの上にさらにマットを用いることが考え得る。すなわち、袋状の腰マット部の中に、ベルト１６ｅを有する構成となる。マットが薄めであるほど使用者の腰部は点で支えられるため、使用者の容態に応じてマットの厚さを変えることも考え得る。
【００３８】
上記実施形態により、褥瘡を防止する効果を有し、さらに、使用者に適したバックマット及び腰マット部を備えた使用者装着装置を提供することが出来る。
【００３９】
本発明の他の実施形態に係る自動排泄処理システムは、図２に示すように、使用者装着装置２００、排泄物処理装置３００及び制御装置４００が接続されており、制御装置４００により排泄物処理装置３００によって処理された排泄物に関するデータ、例えば、使用者の排便回数、排便料、排尿回数、及び排尿量に関するデータを読み取るデータ読取装置５００と、データ読取装置５００で読み取ったデータを送信するデータ送信装置６００から構成される。
【００４０】
データ読取装置５００は、図示しない他の計測装置を接続することにより、排泄物に関するデータ以外のデータ、例えば、血圧、脈拍、ＳｐＯ2、体温、血糖値等に関するデータを読み取るように構成されている。
【００４１】
データ送信装置６００は、データ読取装置５００で読み取ったデータ、いわゆる生体情報に関するデータを有線または無線でインターネットなどの通信網を経由して介護センター、デイサービスセンター、ホームヘルパー、主治医、被介護者の家族等の目的とする場所に送信するように構成されている。
【００４２】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００４３】
【図１】本発明の実施形態に係る自動排泄処理装置の外観図である。
【図２】本発明の実施形態に係る自動排泄処理装置の外観図である。
【図３】本発明の実施形態に係る排泄用装着装置の外観斜視図である。
【図４】本発明の実施形態に係るバックマット１６ａの外観斜視図である。
【図５】本発明の実施形態に係るバックマット１６ａの表面図である。
【図６】本発明の実施形態に係るバックマット１６ａの背面図である。
【図７】図５の点線（ａ）で切断した本発明の実施形態に係るバックマット１６ａの断面図である。
【図８】図５の点線（ｂ）で切断した本発明の実施形態に係るバックマット１６ａの断面図である。
【図９】本発明の実施形態に係る腰マット部の外観斜視図である。
【符号の説明】
【００４４】
１    排泄用装着具
２    吸引ホース
１０    おむつカップ（排泄用容器）
１１    主壁部
１２    副壁部
１３    側壁部
１４    排泄用装着具シール体
１５    男性陰部収納部
１６    固定部１６
１６ａ    バックマット（固定部本体）
１６ｂ    バックマット
１６ｃ    突起部
１６ｄ    腰マット部
１６ｅ    バンド
１７    ベルト部
１８    連結部
２１    排泄物吸引口
２２    接続管路
２３    排泄物センサ
３１    シール本体
３２    リブ状構造部
１００    自動排泄処理装置
２００    使用者装着装置
３００    排泄物処理装置
４００    制御装置
５００    データ読取装置
６００    データ送信装置
【図１】
2007307081.tif 000003
【図２】
2007307081.tif 000004
【図３】
2007307081.tif 000005
【図４】
2007307081.tif 000006
【図５】
2007307081.tif 000007
【図６】
2007307081.tif 000008
【図７】
2007307081.tif 000009
【図８】
2007307081.tif 000010
【図９】
2007307081.tif 000011